(57)【要約】      （修正有）【課題】アナログ式電波修正時計の内部時計の時刻と指針の指す時刻との不一致を検査し補正可能なときは補正する。補正不可能な時は標準時刻電波の受信に成功しても標準時刻に基づいた時刻表示でないことをユーザーに警告する。【解決手段】アナログ式電波修正時計は、内部時刻を発生する内部時計Ａ−２と、内部時計により駆動されて表示時刻を表示する指針Ｂと、標準時刻電波を受信する受信回路Ｇと、受信回路の標準時刻電波の受信成否の結果を表示する手段Ｌと、受信回路が受信に成功した場合は標準時刻に基づいて内部時計の内部時刻及び指針の表示時刻を修正する手段である制御部Ａ−１と、内部時計の内部時刻と上記指針の表示時刻との間の一致・不一致を検出する手段Ｄと、検出する手段により不一致が検出された場合は受信成否の結果を表示する手段の表示を受信失敗の表示とする手段である制御部Ａ−１とを有する。【選択図】          図１
2004333192.tif 000002
【特許請求の範囲】
【請求項１】
内部時計の特定時刻に標準時刻電波を受信し、当該標準時刻電波の時刻コード信号に基づいて前記内部時計の時刻と指針の示す時刻とを修正する時刻修正動作を行うアナログ式電波修正時計において、
所定位置において上記指針の位置検出を行う位置検出手段と、
通常運針中に上記位置検出手段の出力に応じた上記内部時計の時刻に基づいて上記指針の位置を修正する動作を行う制御手段を有することを特徴とするアナログ式電波修正時計。
【請求項２】
請求項１記載のアナログ式電波修正時計において、
上記内部時計の時刻と上記指針の位置の一致・不一致の表示手段を有し、
前記制御手段は、上記内部時計の所定範囲時間において上記指針の位置検出ができなかった場合は、上記表示手段において不一致の表示を行うことを特徴とするアナログ式電波修正時計。
【請求項３】
請求項１又は２記載のアナログ式電波修正時計において、
上記制御手段は、
上記内部時計の所定時間範囲内における上記位置検出手段からの出力に応じて上記指針の位置のずれ量を検出する手段と、
上記修正する動作として、上記指針が上記内部時計より進んでいる場合は、該ずれ量に応じて上記指針の駆動ステップモータを駆動するステップパルスの出力を停止し、上記指針が上記内部時計より遅れている場合は、該ずれ量に応じたステップパルスを追加して出力することで上記指針の位置を修正する動作を行う修正手段とを有することを特徴とするアナログ式電波修正時計。
【請求項４】
請求項２又は３記載のアナログ式電波修正時計において、
上記一致・不一致の表示手段は上記標準時刻電波の受信の成功又は失敗を表示し、不一致あるいは失敗の場合は不一致の表示を行うことを特徴とするアナログ式電波修正時計。
【請求項５】
請求項１乃至４のいずれかに記載のアナログ式電波修正時計において、
上記位置検出手段は複数あり、
通常運針中に一の位置検出手段の出力に応じて上記内部時計の時刻に基づいて上記指針を修正する動作を行った後、他の位置検出手段により上記指針が修正されているか否かを検出することを特徴とするアナログ式電波修正時計。
【請求項６】
標準時刻電波の受信を試みてその受信の成功又は失敗を表示するステップと、受信に成功した場合は内部時計と指針による表示時刻の時刻修正をするステップと、通常運針中に上記内部時計と上記指針による表示時刻との間にずれがあるかどうかを検出するステップと、ずれがあると検出した場合は受信失敗の表示をするステップとを含むことを特徴とするアナログ式電波修正時計の表示方法。
【請求項７】
上記ずれがあるかどうかを検出するステップは、補正可能なずれ量と補正不可能なずれ量を検出するサブステップと、補正可能なずれ量を検出した場合は上記指針のずれ量を補正する動作を行い受信成功の表示をするサブステップとを含み、補正不可能なずれ量を検出した場合は上記受信失敗の表示をするステップを行なうことを特徴とする請求項６に記載のアナログ式電波修正時計の表示方法。
【発明の詳細な説明】
【０００１】
【発明の属する技術分野】
本発明は、標準時刻電波を受信して内部時計を修正するアナログ式電波修正時計及びアナログ式電波修正時計の表示方法に関する。
【０００２】
【従来の技術】
従来のアナログ式電波修正時計としては、特許文献１に開示されるように、定期的に標準時刻電波を受信して内部時計を修正し、この内部時計により駆動される時針、分針、秒針等の指針による表示時刻を修正する動作を行ない、受信が成功した場合はたとえば緑のＬＥＤ、失敗した場合は赤のＬＥＤ表示をするなどして受信成否の結果をユーザが確認できるようにしたものがある。
【０００３】
【特許文献１】
特開２０００−２４９７７７号（段落［００２９］［００３３］参照）
【０００４】
【発明が解決しようとする課題】
従来のアナログ式電波修正時計は、アナログ式電波修正時計のリセット時や電池交換時にのみ内部時計の時刻と時針、分針、秒針等の指針による表示時刻との一致を確認して修正する動作をし、それ以外の通常運針中は内部時計の時刻と時針、分針、秒針の指針による表示時刻は一致をしているものと推定し、標準時刻電波の受信に成功して標準時刻を獲得すると、標準時刻に合わせて内部時計の時刻を修正し、そして、この内部時計の修正をそのまま時針、分針、秒針等の指針による表示時刻の修正に反映している。
【０００５】
しかし、従来のアナログ式電波修正時計の通常運針中になんらかの理由（例えば、時針、分針、秒針を駆動するモータの電池消耗、振動）で、内部時計の時刻と時針、分針、秒針等の指針による表示時刻との間にずれが生ずると、そのずれを検出・修正することなく標準時刻に合わせて内部時計の時刻を修正し、そして、この内部時計の修正をずれを有する時針、分針、秒針等の指針による表示時刻の修正に反映するため、ずれのため誤った表示時刻を指針が表示しているにもかかわらず、受信成功の緑のＬＥＤ表示をする。この結果、受信成功の緑のＬＥＤ表示を見たユーザは、ずれによる誤った指針の表示時刻を標準時刻に合った時刻と誤解するおそれがある。
【０００６】
【課題を解決するための手段】
本発明は、上記した従来の課題を解決することを目的としている。本発明は上記課題を解決するために、簡単に言えば、アナログ式電波修正時計の通常運針中に内部時計と時針、分針、秒針等の指針による表示時刻との間にずれがあると判断した場合、そのずれを修正して内部時計に指針を一致させる動作を行う。
【０００７】
また、本発明は上記課題を解決するために、簡単に言えば、アナログ式電波修正時計の通常運針中に内部時計と時針、分針、秒針等の指針による表示時刻との間のずれ量を検出し、そのずれ量が修正可能な場合には補正して、その後の標準時刻電波の受信に成功して内部時計の時刻を修正した時は、受信成功の表示をする。そのずれ量が検出できず及び／又は補正できない場合は、その後たとえ標準時刻電波の受信に成功しても、受信失敗の表示をする。
【０００８】
すなわち、請求項１に記載の本発明によれば、内部時計の特定時刻に標準時刻電波を受信し、当該標準時刻電波の時刻コード信号に基づいて前記内部時計の時刻と指針の示す時刻とを修正する時刻修正動作を行うアナログ式電波修正時計において、所定位置において上記指針の位置検出を行う位置検出手段と、通常運針中に上記位置検出手段の出力に応じた上記内部時計の時刻に基づいて上記指針の位置を修正する動作を行う制御手段を有することを特徴とするアナログ式電波修正時計が提供される。
【０００９】
この請求項１に記載のアナログ式電波修正時計によれば、内部時計の内部時刻と指針の表示時刻との間の不一致が検出された場合は指針を内部時計に合わせる修正動作を行う。この結果、ユーザがより正確な時刻を取得することが可能となる。
【００１０】
請求項２に記載の本発明によれば、請求項１記載のアナログ式電波修正時計において、上記内部時計の時刻と上記指針位置の一致・不一致の表示手段を有し、前記制御手段は、上記内部時計の所定範囲時間において上記指針の位置検出ができなかった場合は、上記表示手段において不一致の表示を行うことを特徴とする請求項１に記載のアナログ式電波修正時計が提供される。
【００１１】
この請求項２に記載のアナログ式電波修正時計によれば、指針が内部時計とずれていることを検出してユーザに報知する。
【００１２】
請求項３に記載の本発明によれば、請求項１又は２記載のアナログ式電波修正時計において、上記制御手段は、上記内部時計の所定時間範囲内における上記位置検出手段からの出力に応じて上記指針の位置のずれ量を検出する手段と、上記修正する動作として、上記指針が上記内部時計より進んでいる場合は、該ずれ量に応じて上記指針の駆動ステップモータを駆動するステップパルスの出力を停止し、上記指針が内部時計より遅れている場合は、該ずれ量に応じたステップパルスを追加して出力することで上記指針の位置を修正する動作を行う修正手段とを有することを特徴とするアナログ式電波修正時計が提供される。
【００１３】
この請求項３に記載のアナログ式電波修正時計によれば、内部時計の時刻と指針の表示時刻との間のずれ量を検出し、ずれ量が検出された場合は指針のずれ量を補正するためステップモータの駆動ステップパルスの出力を停止あるいは追加する。したがって、修正するための複雑な修正機構を持たなくても指針の修正動作が可能となる。
【００１４】
請求項４に記載の本発明によれば、請求項２又は３記載のアナログ式電波修正時計において、上記一致・不一致の表示手段は上記標準時刻電波の受信の成功又は失敗を表示し、不一致あるいは失敗の場合は不一致の表示を行うことを特徴とする請求項３に記載のアナログ式電波修正時計が提供される。
【００１５】
この請求項４に記載のアナログ式電波修正時計によれば、標準時刻電波の受信の成功又は不成功と指針の内部時計との一致・不一致の表示を共用としていて、不一致あるいは受信失敗の場合は不一致の表示を行うことで指針が正確でないことをユーザに報知することが出来る。
【００１６】
請求項５に記載の本発明によれば、請求項１乃至４に記載のアナログ式電波修正時計において、上記位置検出手段は複数あり、通常運針中に一の位置検出手段の出力に応じて上記内部時計の時刻に基づいて上記指針を修正する動作を行った後、他の位置検出手段により上記指針が修正されているか否かを検出することを特徴とするアナログ式電波修正時計が提供される。
【００１７】
この請求項５に記載のアナログ式電波修正時計によれば、運針中の修正動作後に、次の位置検出手段により前回の修正動作により指針が確実に修正されているか確認することが可能となる。これによりユーザはアナログ式電波修正時計上で正しい表示時間を確認できる。
【００１８】
請求項６に記載の本発明によれば、標準時刻電波の受信を試みてその受信の成功又は失敗を表示するステップと、受信に成功した場合は上記内部時計と上記指針による表示時刻の時刻修正をするステップと、通常運針中に内部時計と指針による表示時刻との間にずれがあるかどうかを検出するステップと、ずれがあると検出した場合は受信失敗の表示をするステップとを含むことを特徴とするアナログ式電波修正時計の表示方法が提供される。
【００１９】
この請求項６に記載の方法によれば、内部時計の時刻と指針の表示時刻との間のずれを検出して、ずれが検出された場合はその後に受信回路が受信に成功した時でも結果を表示する手段が受信失敗の結果を表示することにより、ユーザが受信失敗の表示を見て警告を受け、この結果、ユーザが内部時計の時刻に対してずれを有する表示時刻が標準時刻に合った時刻と誤解することがなくなる。そして、ユーザが表示時刻のずれを無くするために必要なリセット動作や電池交換等をアナログ式電波修正時計に対して行なうことができる。
【００２０】
請求項７に記載の本発明によれば、上記ずれがあるかどうかを検出するステップは、補正可能なずれ量と補正不可能なずれ量を検出するサブステップと、補正可能なずれ量を検出した場合は上記指針のずれ量を補正する動作を行い受信成功の表示をするサブステップとを含み、補正不可能なずれ量を検出した場合は上記受信失敗の表示をするステップを行なうことを特徴とする請求項６に記載のアナログ式電波修正時計の表示方法が提供される。
【００２１】
この請求項７に記載の方法によれば、補正可能なずれ量が検出された場合は指針のずれ量を補正し、補正不可能なずれ量を検出した場合はその後に標準時刻電波の受信に成功した時でも受信失敗の結果を表示する。この結果、ずれ量を補正する動作を行ったならば、内部時計の時刻修正で表示時刻も同様に修正できたものとして標準時刻電波の受信の成功はそのまま成功表示をし、ずれ量が補正できなかった場合は、ユーザが受信失敗の表示を見て警告を受けることでずれを有する表示時刻が標準時刻に合った時刻と誤解するおそれがなくなる。そして、ユーザが表示時刻のずれを無くするために必要なリセット動作や電池交換等をアナログ式電波修正時計に対して行なうことができる。
【００２２】
【発明の実施の形態】
以下、添付図面を参照して本発明をその好適な実施の形態について詳細に説明する。図１は、本発明の１つの実施の形態によるアナログ式電波修正時計の要部を示すブロック図である。
【００２３】
図１に示される本実施の形態のアナログ式電波修正時計は、図示しない発信局から電波送信される標準時刻電波の時刻コード信号を、特定時刻に受信アンテナＦ及び受信回路Ｇを介して中央制御装置（ＣＰＵ）Ａに受信する。受信回路Ｇを介して標準時刻コードが受信できた場合は、中央制御装置Ａは受信成否を示すＬＥＤ等の表示灯Ｌの表示を成功を示す緑色で表示し、標準時刻コードが受信できなかった場合は表示灯Ｌの表示を失敗を示す赤色で表示する。なお、標準時刻電波を受信する特定の時刻は、内部時計Ａ−２の内部時刻が毎日、午前２時になる時刻等であってよい。受信回路Ｇにより受信された信号は中央制御装置（ＣＰＵ）Ａ内の判定手段である制御部Ａ−１から内部電子時計Ａ−２に供給される。この時刻コード信号に基づいて、内部時計Ａ−２の内部時刻を修正すると共に、輪列Ｃを駆動してアナログ時計の指針Ｂ（図３に図示）が指す表示時刻を修正する時刻修正動作を行う。
【００２４】
アナログ時計の指針Ｂを駆動する時計機械体の輪列Ｃ（図２に図示）には、指針Ｂが所定位置にずれがない状態にあることを検出する位置検出機構Ｄが備わっている。後で詳細に説明するが、通常運針のときに内部時計Ａ−２の内部時刻の所定時間（例えば、午前１２時と午後１２時とすると、指針Ｂが午前１２時と午後１２時を表示する位置が上記所定位置となる）に、内部電子時計Ａ−２の内部時刻が午前１２時のときに指針Ｂが所定位置である午前１２時の位置にあるか否か、同様に内部時刻が午後１２時のときに指針Ｂが午後１２時の位置にあるか否かを位置検出機構Ｄを用いて制御部Ａ−１により判定する。指針Ｂが所定時間内に位置検出機構Ｄの所定位置を通過しない場合は、指針Ｂを内部時刻のと一致する位置に補正ができないと判定して、内部時計の現在時刻と指針の表示時刻が合っていないことをユーザに警告するため、表示灯Ｌの表示を受信成否結果の失敗表示とする。すなわち、表示灯Ｌの表示を赤にする。
【００２５】
この表示灯Ｌの失敗表示は、この後にたとえ受信回路Ｇが標準時刻電波の受信に成功して制御部Ａ−１が標準時刻コードに基づいて内部時計Ａ−２の内部時刻を修正し、その修正量に対応して指針Ｂを補正するように移動しても、内部時計の時刻と指針Ｂの表示時刻とは一致していないものであるため継続される。なお、ユーザが図示しないアナログ式電波修正時計のリセットボタンを押すか又は電源Ｅを交換することで制御部のリセット動作を行なうことができる。この場合は、後で詳述するように制御部Ａ−１が輪列Ｃと位置検出機構Ｄを使用して、標準電波を受信して標準時刻コードで修正された内部時計Ａ−２の内部時刻に対して指針Ｂの表示時刻を一致させて両時刻のずれを解消させ、表示灯Ｌの表示は受信成功を示す緑色に変える。
【００２６】
次に図２を参照して位置検出機構Ｄにより検出された指針Ｂの指す表示時刻と、内部電子時計Ａ−２の内部時刻とが一致しているか否かの検出方法を詳細に説明する。図２はアナログ式時計機械体の輪列Ｃの要部の断面図であり、秒針はスイープ運針、時分針は１０秒ステップ運針を行うように構成してある。下ケース１０と中ケース１１との間に、電源Ｅ（図１図示）から電源の供給を受けて動作する第１の１０秒ステップ駆動モータ１により回転駆動される時分針車駆動輪列が設けてある。即ち、モータのロータ１、駆動車２、中間車３、分針車４、日の裏車５及び時針車６がそれぞれ回転自在に軸支され、順次噛合して減速輪列を構成している。また、中ケース１１と上ケース１２との間に、図示しない第２のスイープ駆動モータにより回転駆動される秒針車駆動輪列が設けてある。即ち、モータ歯車に噛合する不図示の２番車、３番車７及び秒針車８が回転自在に軸支され、順次噛合して減速輪列を構成している。分針車４と時針車６と秒針車８とは、中ケース１１に一体的に設けてあるパイプ１１ｂにそれぞれ回転可能に嵌合し、下ケース１０からの突出端に、図３に示す分針、時針、秒針からなる指針Ｂが取り付けられ、指針Ｂが同心的に回転する所謂中３針式のアナログ時計に構成してある。
【００２７】
輪列Ｃ（すなわち、指針Ｂ）の位置検出機構Ｄについて説明する。３番車７には、位置検出用の小さい透孔７ａと、この透孔７ａよりも小径で回転中心から近距離でかつ透孔７ａと１８０度離れた位置に輪列組み込み用の位置決め孔７ｂが形成してある。
【００２８】
図４に示すように秒針車８には、同一円周上で１８０度離れた位置に位置検出用の透孔８ａと反射板からなる反射部８ｂが形成してある。また透孔８ａを中心に両側に２ヶづつ６０度間隔で透孔８ｃ、８ｄ、８ｅ、８ｆが開いている。中間車３には同一円周上に１２０度間隔で３つの透孔３ａが、分針車４には前記の透孔８ａと同一半径の円周上に１２０度間隔で３つの透孔４ａが形成してある。時針車６には前記の透孔８ａと同一半径の円周上に７つの透孔６ａが形成してある。後述のように８つの基準時刻があるので、透孔６ａは８つ必要であるが、２つの透孔を繋いでいるので７つの透孔６ａを設ければよい。また、中ケース１１には位置検出用の透孔７ａ，８ａ，３ａ，４ａ，６ａと上下に一直線上に揃うように透孔１１ａが形成してある。これらの位置検出用の透孔が上下に一直線上に揃う時刻は、１２：００，１：４０，３：００，５：４０，６：００，８：２０，９：００，１１：００の８回あり、これを基準時刻としている。隣り合う基準時刻との時間間隔は全て異なっている。この異なる時間間隔により、リセット時に指針Ｂの絶対的位置を制御部Ａ−１が検出できる。
【００２９】
下ケース１０には、この一直線上に揃った透孔６ａと対向する位置に発光ダイオード９が固定してあり、３番車７の上部に配設してある基板１３には、この一直線上に揃った透孔７ａと対向する位置に発光素子と受光素子とを備えた反射型センサ１４が固定してある。
【００３０】
リセット時等の初期の指針Ｂの位置検出は、先ず秒針の位置検出を秒針車８の反射板８ｂと反射型センサ１４で行い、位置検出ができたら秒針Ｂを０秒の位置まで移動して止める。０秒の位置では３番車７の透孔７ａと秒針車８の透孔８ａとが上下に揃っている。次に発光ダイオード９を発光させて時分針を回転させると、中間車３、分針車４、時針車６の透孔３ａ，４ａ，６ａが重なった時に発光ダイオード９の光が反射型センサ１４に届く。この位置は前記の８つの基準時刻のいずれかであるので、時分針の回転を続けて再び透孔が重なって反射型センサ１４に光が届く位置に来た時に、最初に透孔が一致した時との時間間隔を確認して２度目に透孔が重なったときの位置を割り出す。これで時分秒針の全てがどの位置にあるかが認識でき、リセット時において初期の指針Ｂの絶対的な位置検出が終了する。
【００３１】
次に図５を図２と併せて参照して、本発明の実施の形態のアナログ式電波修正時計の通常運針時において、内部時計Ａ−２の内部時刻に対する指針Ｂに表示時刻の位置検出を午前１２時と午後１２時の２回おこなう方法を説明する。まず、内部電子時計Ａ−２の内部時刻が所定の時刻（午前１２時と午後１２時）の正時２０秒前になった時（すなわち、午前１１時５９分４０秒又は午後１１時５９分４０秒）に発光ダイオード９を点灯させて、本実施の形態の方法を開始する。そして反射型センサ１４の入力を確認する（Ｓ１）。
【００３２】
内部電子時計Ａ−２が所定の時刻（午前１２時と午後１２時）の正時（１２：００：００秒乃至１２：００：０９の間）にちょうど発光ダイオード９から発した光が、一直線に揃った全ての透孔６ａ，４ａ，３ａ，１１ａ，８ａ，７ａを通過して反射型センサ１４で検出できれば、時針、分針、秒針からなる指針Ｂの指す表示時刻と内部電子時計Ａ−２の内部時刻とが一致している、即ち、正常状態であると制御部Ａ−１により判定される（Ｓ４）。従って、受信結果表示を示す表示灯Ｌを受信成功の緑表示にする（Ｓ７）。
【００３３】
しかし、制御部Ａ−１が、内部時計の内部時刻の正時の１秒前乃至１０秒前（１１：５９：５０〜１１：５９：５９）に光を検出した場合は指針Ｂが１０秒進んでいると判断する（Ｓ３）。従って、１０秒ステップ駆動モータ１への駆動パルスの発信を１パルス止める（Ｓ８）。その後に受信結果表示を示す表示灯Ｌを受信成功の緑表示にする（Ｓ７）。
【００３４】
制御部Ａ−１が、内部時計の内部時刻の正時の１１秒前乃至２０秒前（１１：５９：４０〜１１：５９：４９）に光を検出した場合は指針Ｂが２０秒進んでいると判断する（Ｓ２）。従って、１０秒ステップ駆動モータ１への駆動パルスの発信を２パルス止める（Ｓ９）。その後に受信結果表示を示す表示灯Ｌを受信成功の緑表示にする（Ｓ７）。
【００３５】
逆に、制御部Ａ−１が、内部時計の内部時刻の正時の１０秒後乃至１９秒後（１２：００：１０〜１２：００：１９）に光を検出した場合は指針Ｂが１０秒遅れていると判断する（Ｓ５）。従って、１０秒ステップ駆動モータ１への駆動パルスを１パルス追加する（Ｓ１０）。その後に受信結果表示を示す表示灯Ｌを受信成功の緑表示にする（Ｓ７）。
【００３６】
また、２０秒後乃至２９秒後（１２：００：２０〜１２：００：２９）に光を検出した場合は指針Ｂは２０秒遅れていると判断して、１０秒ステップ駆動モータ１への駆動パルスを２パルス追加する（Ｓ６）。その後に受信結果表示を示す表示灯Ｌを受信成功の緑表示にする（Ｓ７）。
【００３７】
もし、反射型センサ１４による光の検出が正時から３０秒を経過しても行なわれない場合（Ｓ１１）は、内部時計の内部時刻に対する指針Ｂのずれが±２０秒を超えているため通常運針中に補正不可能と判定して、受信結果表示を示す表示灯Ｌを受信失敗の赤表示にする（Ｓ１２）。
【００３８】
このように、内部時計の内部時刻に対する指針Ｂのずれ量（±１０秒又は±２０秒）が判断できた場合は指針Ｂを内部電子時計合うように指針位置を補正する動作を行う。また±２０秒以内で反射型センサ１４で光が検出できないときは、内部電子時計Ａ−２の時刻と指針Ｂの指している表示時刻とが一致しておらず、また補正も出来ないので、制御部Ａ−１により不一致と判定する。そして、表示灯Ｌを受信失敗の赤表示にする。
【００３９】
この表示灯Ｌの受信失敗の赤表示は、前述の通り、そして以下に、図６を参照して詳細に説明するように、ユーザが図示しないアナログ式電波修正時計のリセットボタンを押すか又は電源Ｅを交換することで、後で詳述するように制御部Ａ−１が輪列Ｃと位置検出機構Ｄを使用して、標準電波を受信して標準時刻コードで修正された内部時計Ａ−２の内部時刻に対して指針Ｂの表示時刻を一致させて両時刻のずれを解消させるリセット動作をする場合に、表示灯Ｌの表示は受信成功を示す緑色に変えることができる。
【００４０】
図６を図１と併せて参照すると、アナログ式電波修正時計では、制御部Ａ−１は内部時計Ａ−２が所定時刻（例えば、午前２時）になると受信回路ＧをオンにしてアンテナＦから標準時刻電波を受信して標準時刻コードを制御回路Ａ−１が獲得して、標準時刻コードに基づいて内部時計Ａ−２の内部時刻及び指針Ｂの表示時刻を修正する。この際、本実施の形態のアナログ式電波修正時計では、制御部Ａ−１は、受信開始後に受信回路Ｇが標準時刻電波の受信に成功したかどうかを判定する（Ｓ２１）。この判定で、もし、標準時刻電波の受信に失敗したならば、表示灯Ｌを赤にする。ユーザに内部時刻及び指針Ｂの表示時刻がもはや標準時刻に基づいて修正されていないことを警告する（Ｓ２２）。もし、標準時刻電波の受信に成功したならば、図５に示した方法により、直前の検査で内部時計Ａ−２の内部時刻に対する指針Ｂの位置確認ができたか判定する（Ｓ２３）。もし、位置確認ができなかった場合は、表示灯Ｌの表示を赤ににする。これによりユーザは内部時刻と指針Ｂの表示時刻が一致しておらず、指針Ｂは表示時刻は標準時刻に基づいて修正されていないことがわかる（Ｓ２２）。直前の検査で内部時計Ａ−２の内部時刻に対する指針Ｂの位置が確認できた場合は、受信に成功し、しかも指針Ｂによる表示時刻は標準時刻に基づいて修正動作をされていることを示すために、表示灯Ｌの表示を緑にする（Ｓ２４）。
【００４１】
なお、図５で説明した実施の形態の方法では、指針Ｂの位置検出を所定時間の前後２０秒間とし、前後２０秒若しくは前後１０秒のずれ量が判断できれば修正動作を行うようにしてあるが、特定の時間（例えば、午前及び午後１２時の正時の両方又は一方）のみ位置検出を行ない、その時に検出できなければ不一致と判断してもよい。
【００４２】
なお、図２と図５の説明については正確に言えば例外があり、一致と判定される位置が前記の通り８つあるのであるが、位置検出の時刻である１２時に対して、丁度６０分遅れているとか、丁度１００分進んでいるなどということは有り得ないので、１２時に行う毎日の位置検出に問題は生じない。
【００４３】
また、図２で説明した３番車７の透孔７ａと秒針車８の図４の透孔８ａの大きさを調整して、約１秒間で光路を横切るように設定してある。このために、内部電子時計Ａ−２の時刻と指針Ｂの指している時刻とが一致している場合には、全ての透孔６ａ，４ａ，３ａ，１１ａ，８ａ，７ａが１２時に約１秒間上下に一直線上に重なるので、この間に発光ダイオード９からの光の通過が、反射型センサ１４により確実に検出できる。
【００４４】
なお、本実施の形態では、受信結果表示の例として、表示灯Ｌを２色ＬＥＤとし、受信成功の場合は緑、失敗の場合は赤点灯させてユーザーに知らせると説明したが、これに限らずさまざまな方法や色表示で受信成否の結果の表示を行うことかできる。また、受信結果と、指針の位置検出の結果を別体の表示とすることや指針の運針方法等のＬＥＤによらないユーザへの報知手段をとることも可能である。さらに、表示方法を常時表示するのではなく、ユーザの指示があった場合、例えば表示スイッチを配置して、表示スイッチがオンされたときのみ表示することも可能である。
【００４５】
一度、受信成否結果表示を指針Ｂの位置の検出が出来なかったことにより失敗とした場合にはその後受信に成功しても、常に受信失敗の赤のままとする。しかし、その後の定期的な指針Ｂの位置検出動作で位置検出ができた場合や、ユーザがリセットボタンの押圧あるいは電池交換によりリセット動作を行った場合は、受信の成否及び指針の位置検出の可否により、表示灯が成功表示の青又は失敗表示の赤に変わる。
【００４６】
なお、電波による時刻の修正は、通常２４時間毎に行っており、内部時計で午前・午後の判別を行って、例えば、午前２時に行うようにしている。しかし、午前２時に受信が正しく行えなかった場合には、午前５時、午後２時、または午後５時に行うようにしている。
【００４７】
位置検出機構Ｄを作動させる時刻は、前記のように内部電子時計Ａ−２が１２時としたが、通常は内部時計Ａ−２により午前・午後の判別を行って午後１２時のみの２４時間毎としてもよい。しかし、更に精度を上げるために前記の基準時刻毎に８回行うように設定してもよい。
【００４８】
図２で説明した本実施の形態では、位置検出機構Ｄを輪列Ｃを構成する歯車に設けた透孔を用いて検出する構成としているが、これに限られるものでなく、輪列Ｃとは別に、指針Ｂが所定の位置にあるか判定できる機構や、ずれ検出機構を設けてもよい。この場合には、前記の基準時刻に限られるものではなく、任意の時刻に検出時刻を設定することが可能である。
また、本実施例に拠れば、指針を修正するパルスを出力した後の指針の修正動作の確認は次回の位置検出時となる。しかし、例えば位置検出の数分後に次回の位置検出を行う位置検出手段を設けることで、指針の修正動作の確認ができ、さらに修正が不十分であった場合には、再度の修正動作を行うことができる。
【００４９】
【発明の効果】
本発明によれば、内部時計に対して指針がずれていることにより表示時間が正確に表示できない場合は、受信成否結果表示を成功表示としないため、ユーザーが表示時間が正しいと誤認識することが無くなる。そして、リセットボタンの押圧あるいは電池交換により内部時計に対する指針のずれを解消する適切な作業を促進できる。
【図面の簡単な説明】
【図１】本発明の１つの実施の形態によるアナログ式電波修正時計の要部を示すブロック図。
【図２】本発明の１つの実施の形態によるアナログ式電波修正時計の輪列を示す概略断面図。
【図３】本発明の１つの実施の形態によるアナログ式電波修正時計の指針と表示灯を示す正面図。
【図４】本発明の１つの実施の形態によるアナログ式電波修正時計の秒針位置を検出するために秒針車に設けられた透孔と反射部を示す正面図。
【図５】本発明の１つの実施の形態によるアナログ式電波修正時計の表示方法を示すフローチャート。
【図６】本発明の１つの実施の形態によるアナログ式電波修正時計の表示方法を示すフローチャート。
【符号の説明】
８      秒針車
８ａ、８ｃ、８ｄ、８ｅ、８ｆ    透孔
８ｂ    反射部
９      発光ダイオード
１４    反射型センサ
Ａ−１  制御部
Ａ−２  内部時計
Ｂ      指針
Ｃ      輪列
Ｄ      位置検出機構
Ｌ      表示灯
【図１】
2004333192.tif 000003
【図２】
2004333192.tif 000004
【図３】
2004333192.tif 000005
【図４】
2004333192.tif 000006
【図５】
2004333192.tif 000007
【図６】
2004333192.tif 000008